(57)【特許請求の範囲】
【請求項１】
撮像により画像データを得る画像データ入力部と、
外部環境データを検出するセンサ部と、
固定図形情報と可変図形情報とを記憶する記憶手段と、
前記センサ部の検出値に基づいて、前記記憶手段に記憶された固定図形情報に対して前記可変図形情報を合成して表示図形を生成する図形処理部と、
前記画像データ入力部からの画像データと前記図形処理部により生成された表示図形とを合成する合成手段と、
前記合成手段の合成結果を表示する画像表示手段と
を有することを特徴とするカメラ。
【請求項２】
撮像により画像データを得る画像データ入力部と、
外部環境データを検出するセンサ部と、
固定図形情報と可変図形情報とを記憶する記憶手段と、
前記センサ部の検出値に基づいて、前記記憶手段に記憶された固定図形情報に対して前記可変図形情報を合成して図形情報を生成する図形処理部と、
前記画像データ入力部からの画像データと前記図形処理部により生成された図形情報とを合成する合成手段と、
前記合成手段の合成結果を記録する記録手段と
を有することを特徴とするカメラ。
【請求項３】
撮像により画像データを得る画像データ入力部と、
外部環境データを検出するセンサ部と、
固定図形情報と可変図形情報とを記憶する記憶手段と、
前記センサ部の検出値に基づいて、前記記憶手段に記憶された固定図形情報に対して前記可変図形情報を合成して図形情報を生成する図形処理部と、
前記画像データ入力部からの画像データと前記図形処理部により生成された図形情報とを対応付けて記録するメモリ手段と
を有することを特徴とするカメラ。
【請求項４】
前記記憶手段に記憶されている図形情報は、それぞれ固定図形情報とそれに対応した可変図形情報とから構成された複数種類の図形情報であることを特徴とする請求項１乃至３に記載のカメラ。
【請求項５】
前記図形処理部は、前記センサ部の出力値をその可変図形情報の変数値とし、その変数によって前記可変図形情報を加工することを特徴とする請求項４に記載のカメラ。
【請求項６】
前記図形処理部は、前記センサ部のデジタル化された前記センサーの出力値に基づいて前記可変図形情報を加工し、前記固定図形情報と合成することを特徴とする請求項４または５記載のカメラ。
【請求項７】
前記外部環境データは、温度データ，方位データ，湿度データ，風速データ，高度データ，音響強度データ，位置データ，時間データのいずれか一つまたはこれらの組合せを含み、前記辞書部は上記環境データに対応させて、温度計を象徴する図形データ，方位計を象徴する図形データ，湿度計を象徴する図形データ，風速計を象徴する図形データ，高度計を象徴する図形データ，音響強度を象徴する図形データ，地図データ、時計を象徴する図形データのいずれか一つまたはこれらの組合せを含むことを特徴とする請求項１乃至６記載のカメラ。
【請求項８】
前記位置データはＧＰＳからの位置信号を利用して得ることを特徴とする請求項７記載のカメラ。
【発明の詳細な説明】
【０００１】
【発明の属する技術分野】
本発明はデジタルカメラ等のカメラ装置に関し、特に、撮影時の温度や方位、位置、時間等の環境データを測定／入力してそれを図形化して画像と共に表示／記録する環境状況表示／記録カメラに関する。
【０００２】
【従来の技術】
デジタルカメラで撮像された被写体像は、ＣＣＤによる光電変換、信号変換及び信号処理等を経て画像データとして記憶媒体に記録される。この場合、画像データは記録媒体上に撮像した順番に記録されていく。
【０００３】
デジタルカメラの多くは液晶ディスプレイ等からなる表示装置を備えており、このようなデジタルカメラでは、使用者は撮像の際にそれをファインダー代りに用いることもできるし、また、撮像後に記録媒体から読み出した再生画像を表示することもできる。
【０００４】
また、従来のデジタルカメラは画像のほかメニュー、メッセージ、画像番号等の文字情報のほか日付等を表示装置に表示するものがある。
【０００５】
【発明が解決しようとする課題】
デジタルカメラは、電子式「写真機」という面での使用法と画像情報収集手段という面での使用法があり、大衆化製品として使いやすさと多機能性が求められている。
【０００６】
ここで、デジタルカメラの撮像時にその時点での状況、すなわち、環境撮影時の温度や方位、位置、時間等の環境データを入力して図形化して画像と共に表示できれば、電子式「写真機」という面では後で印刷した写真を見て撮影時の状況を視覚的に捉えて状況を思い出すことができ、また、表示画面或いは印刷写真のアクセサリーとすることも可能となる。
また、撮像時に得た環境データ（図形化の元データ）を画像データと共に記録しておき、所望の時期に外部装置に出力（送信）できるので、画像情報収集手段に加え環境情報収集手段としての応用が期待できる。
【０００７】
本発明は上記着想を実現するために創案されたものであり、撮影時の環境データを入力して図形化し、撮像で得た画像と共に表示／記録し得るカメラの提供を目的とする。
【０００８】
【課題を解決するための手段】
上記の目的を達成するために、第１の発明のカメラは、撮像により画像データを得る画像データ入力部と、外部環境データを検出するセンサ部と、固定図形情報と可変図形情報とを記憶する記憶手段と、前記センサ部の検出値に基づいて、前記記憶手段に記憶された固定図形情報に対して前記可変図形情報を合成して表示図形を生成する図形処理部と、前記画像データ入力部からの画像データと前記図形処理部により生成された表示図形とを合成する合成手段と、前記合成手段の合成結果を表示する画像表示手段とを有することを特徴とする。
【０００９】
また、第２の発明のカメラは、撮像により画像データを得る画像データ入力部と、外部環境データを検出するセンサ部と、固定図形情報と可変図形情報とを記憶する記憶手段と、前記センサ部の検出値に基づいて、前記記憶手段に記憶された固定図形情報に対して前記可変図形情報を合成して図形情報を生成する図形処理部と、前記画像データ入力部からの画像データと前記図形処理部により生成された図形情報とを合成する合成手段と、前記合成手段の合成結果を記録する記録手段とを有することを特徴とする。
【００１０】
また、第３の発明のカメラは、撮像により画像データを得る画像データ入力部と、外部環境データを検出するセンサ部と、固定図形情報と可変図形情報とを記憶する記憶手段と、前記センサ部の検出値に基づいて、予め記憶されている図形情報を生成する図形処理部と、前記画像データ入力部からの画像データと前記図形処理部により生成された図形情報とを対応付けて記録するメモリ手段とを有することを有することを特徴とする。
【００１１】
また、第４の発明のカメラは上記請求項１乃至３に記載のカメラにおいて、前記記憶手段に記憶されている図形情報は、それぞれ固定図形情報とそれに対応した可変図形情報とから構成された複数種類の図形情報であることを特徴とする。
【００１２】
また、第５の発明のカメラは上記請求項４に記載のカメラにおいて、前記図形処理部は、前記センサ部の出力値をその可変図形情報の変数値とし、その変数によって前記可変図形情報を加工することを特徴とする。
【００１３】
また、第６の発明のカメラは上記請求項４または５記載のカメラにおいて、前記図形処理部は、前記センサ部のデジタル化された前記センサーの出力値に基づいて前記可変図形情報を加工し、前記固定図形情報と合成することを特徴とする。
【００１４】
また、第７の発明のカメラは上記第１乃至第６の発明のカメラにおいて、前記外部環境データは、温度データ，方位データ，湿度データ，風速データ，高度データ，音響強度データ，位置データ，時間データのいずれか一つまたはこれらの組合せを含み、辞書部は上記環境データに対応させて、温度計を象徴する図形データ，方位計を象徴する図形データ，湿度計を象徴する図形データ，風速計を象徴する図形データ，高度計を象徴する図形データ，音響強度を象徴する図形データ，地図データ、時計を象徴する図形データのいずれか一つまたはこれらの組合せを含むことを特徴とする。
【００１５】
また、第８の発明のカメラは上記第７の発明のカメラにおいて、位置データはＧＰＳからの位置信号を利用して得ることを特徴とする。
【００１６】
【発明の実施の形態】
図１は本発明を適用したデジタルカメラの一実施例の斜視図であり、（ａ）は正面図、（ｂ）は背面図である。
デジタルカメラ１００の上面には、動作モードを切換えるモード切換えスイッチ（スライドスイッチ）４１と、機能選択用ボタン４２〜４７、出力用ボタン４８、デジタルカメラ１００を起動するメインスイッチ１０１、撮像用シャッターボタン１０２およびＧＰＳ（Global Positioning System）等からの電波を受信する受信アンテナ３７が設けられている。
前面（正面）には、撮像部１０５、撮像レンズ１０６、ファインダー１０７、ファインダーレンズ１０８が設けられ、前面側内部には温度，方位，湿度，高度，風速，音響等の外部環境データを入力する温度センサー３１−１，方位センサー３１−２，湿度センサー３１−３，風速センサー３１−４，高度センサー３１−５を備えている。
【００１７】
背部には、記録モードと再生モードを切換える記録／再生モード切換えスイッチ１０３と、ファインダー１０７と、図形移動用十字ボタン４９および画像表示用の液晶ディスプレイ５３が設けられている。なお、背部側内部に他のセンサー（図１の例では音響センサー３１−６）を設けるようにしてもよい。
【００１８】
なお、外部環境データを入力するセンサーは上記の各センサーに限定されず、外部環境データを計測して電気信号に変換可能で、カメラに装着可能な程度に小型化されたものであればよく、例えば、圧力計や、水深計、透明度を計測するセンサー等を設けてもよい。
【００１９】
＜回路構成＞
図２は図１のデジタルカメラ１００の回路構成例を示すブロック図であり、図２（ａ）で、デジタルカメラ１００は、画像データ入力系１０、制御部２０、環境データ入力系３０、操作部４０、表示部５０、記録部６０およびインターフェイス８１を有している。
【００２０】
画像データ入力系１０は、光学系１１，信号変換部１２，信号処理部１３，ＤＲＡＭ（ダイナミックラム）１４を有している。
【００２１】
光学系１１は、撮像レンズおよび絞り等の光学系機構１１を含み、被写体からの光を後段の信号変換部１２のＣＣＤ上に結像させる。
信号変換部１２は、ＣＣＤ，Ａ／Ｄ変換部およびＣＣＤ駆動信号生成回路を含み、前段の光学系１１を介してＣＣＤに結像した画像を電気信号に変換すると共にデジタルデータ（以下、画像データ）に変換してＤＲＡＭ１４に一時的に記憶させる。
信号処理部１３は、ＤＲＡＭ１４に記憶した画像データにデータ圧縮処理を施して圧縮画像データとしてフラッシュメモリ６１に記録する。信号処理部１３は、また、フラッシュメモリ６１から読み出した画像データに伸張処理を施した後、映像信号に変換してＶＲＡＭ（ビデオＲＡＭ）５１に展開する。
【００２２】
制御部２０は図２（ｂ）に示すように、ＣＰＵ２１、ＲＡＭ２２、及びＲＯＭ２３を有している。
【００２３】
ＣＰＵ２１は、上述の各回路および図示しない電源切換えスイッチ等にバスラインを介して接続し、ＲＯＭ２３に記録されている制御プログラムによりデジタルカメラ１００全体の制御を行なうと共に、操作部４０からの状態信号に対応してデジタルカメラ１００の各機能の実行制御、例えば、ＲＯＭ２３内に記録された環境データ表示処理プログラムの実行による環境データ表示モード処理の実行制御等を行なう。
ＲＡＭ２２はデータ或いは処理結果の一時記憶および中間作業領域等に用いられる。
ＲＯＭ２３は上述の制御プログラムと環境データ表示処理プログラムおよび画像処理装置のその他の各機能を実行させるためのプログラムを記録する記録媒体であり、ＰＲＯＭ、ＦＲＯＭ（フラッシュＲＯＭ）等が用いられる。なお、これらプログラムをＲＯＭ２３以外のリムーバブルな記録媒体（例えば、フラッシュメモリ６１）に格納するように構成することもできる。
【００２４】
環境データ入力系３０は、撮像時の外部環境（例えば、温度（気温）、方位、湿度、風速、高度、音響等）データを計測して電気信号に変換するセンサー部３１と、センサー部３１の出力信号をデジタルデータに変換する環境データ入力信号変換部３２と、辞書３４に登録された図形データを基にデジタル信号化されたセンサー出力を図形化して制御部２０を介してＶＲＡＭ５２に展開する図形処理部３３と、図形処理部３３および環境データ表示処理プログラムに図形情報を与える辞書部３４を備えている。
【００２５】
操作部４０は、図１に示した処理モード切換えスイッチ４１、機能選択用ボタン４２〜４７、出力用ボタン４８、移動ボタン４９、メインスイッチ１０１、シャッターボタン１０２および記録／再生モード切換えスイッチ１０３等を構成部分とし、これらのキー或いはボタンが操作されると状態信号がＣＰＵ２１に送出される。
【００２６】
表示部５０は、ＶＲＡＭ５１，ＶＲＡＭ５２，および液晶ディスプレイ５３から構成されている。なお、ＶＲＡＭ５１およびＶＲＡＭ５２は画像表示用のイメージ（画像イメージ）をビットマップで展開する画像表示用メモリであり、液晶ディスプレイ（ＬＣＤ）５３の電源がオン（ＯＮ）であれば、ＶＲＡＭ５１およびＶＲＡＭ５２上の画像データが液晶ディスプレイ５３に画像表示される。
なお、ＶＲＡＭ５２には画像データのほか、制御部２０を介して図形データ、ニューデータおよびメッセージデータ等がイメージ展開され、これらを液晶ディスプレイ５３に表示する場合がある。さらに、ＶＲＡＭ５１上の画像イメージとＶＲＡＭ５２上のイメージを液晶ディスプレイ５３に合成（重畳）して表示できる。
【００２７】
記録部６０は記録媒体（図２ではフラッシュメモリ）６１を収容し、ＣＰＵ２１の制御によりフラッシュメモリ６１上に画像データ入力系１０からの画像データを記録すると共に、当該画像データと外部環境データを関連づける情報を有する参照リスト（図９、図１０）をフラッシュメモリ６１に記録し、また、フラッシュメモリ６１から画像データおよび参照リストを読み出してＲＡＭ２２（或いは、ＤＲＡＭ１４）に転送する。なお、記録部６０によるデータの転送はＤＭＡ（ダイレクトメモリアクセス方式）によって行なわれるよう構成することが望ましい。また、参照リストはフラッシュメモリ６１の先頭に格納されることが望ましい。
【００２８】
インターフェイス８１はデジタルカメラ１００と、プリンタやパソコン、その他の画像処理装置、ＣＤ−ＲＯＭ等の外部機器との間のデータの授受を行なう。フラッシュメモリ６１に記録された画像データおよび外部環境データの外部機器への送信（出力）は、出力ボタン４８が押し下げられた場合に図示しない出力手段（プログラム）に基づいて行なわれる。
【００２９】
＜環境データ入力系の構成例＞
図３は図２の環境データ入力系３０の一実施例の構成を示すブロック図であり、環境データ入力系３０は、前述（図２）したように、センサー部３１、環境データ入力信号変換部３２、図形処理部３３および辞書部３４を備えている。また、センサー部３１と環境データ入力信号変換部３２はスイッチＳＷ１〜ＳＷ６およびＳＷ７を介してラインで接続している。
【００３０】
［センサー部］
センサー部３１は、温度センサー３１−１、気圧センサー３１−２、湿度センサー３１−３、風速センサー３１−４、高度センサー３１−５、音響センサー３１−６等の外部環境測定器とアンテナ３７からなり、外部環境測定器の測定値は電気信号に変換されて環境データ入力信号変換部３２に与えられる。なお、高度センサー３１−５として圧力計を用いてもよい。
また、センサー部３１は撮像時の現在位置を知るために必要なＧＰＳからの電波および時間（日時および環境時間（ワールドタイム））を知るために必要な放送局からの標準時刻電波を受信する受信アンテナ３７も含み、アンテナ３７の受信電波は環境データ入力信号変換部３２の受信信号処理部３８に与えられる。
【００３１】
スイッチＳＷ１〜ＳＷ６およびＳＷ７はトランジスター等のスイッチング素子からなり、環境データ表示モードに移行するとオンに切替えられるが、ユーザが入力する環境データを指定し終った後は指定した環境データのセンサーに対応するスイッチだけがオンとなり、他のセンターのスイッチはオフとなる。
そして、スイッチがオンとなったセンサーからの出力信号がＡ／Ｄコンバータ３２−１に与えられる。
なお、スイッチＳＷ１〜ＳＷ６のうちオンとなったスイッチが複数個の場合には制御部２０からの制御信号により順次各スイッチがオン／オフされ、各センサーからの出力が順次Ａ／Ｄコンバータ３１−１に与えられる。なお、後述するように各センサー毎にＡ／Ｄコンバータを設けてもよく、この場合には制御部２０からスイッチ切換え用の制御信号を出さなくてもよい。
【００３２】
［信号変換部］
環境データ入力信号変換部３２はＡ／Ｄコンバータ３２−１およびアンテナ３７で受信した電波を処理する受信信号処理部３８から構成されている。
Ａ／Ｄコンバータ３２−１は各センサーによる計測値をデジタルデータに変換して各図形信号処理部３３−１〜３３−６に与える。なお、本実施例ではスイッチＳＷ１〜ＳＷ６の切換えにより１つのＡ／Ｄコンバータ３２−１で各センサーからの計測値をデジタルデータに変換するように構成しているが、各センサー毎にＡ／Ｄコンバータを設けてもよい。
また、受信信号処理部３８はアンテナ３７の受信電波から中間周波数を抽出して復調し、ＧＰＳからの緯度データ、経度データおよび放送局からの時間データを取り出して現在位置決定部３９−１および時間算出部３９−２に与える。
【００３３】
なお、制御部２０側で内部タイマーとカレンダー（一種の辞書であり、通常時間／暦計算プログラムのルーチンとして持っている）により日時および環境時間（ワールドタイム）を得ることもできる。この場合には、上述の受信アンテナ３７による標準時刻受信は不要である。
【００３４】
［図形処理部］
図形処理部３３は、温度図形処理部３３−１、方位図形処理部３３−２、湿度図形処理部３３−３、風速図形処理部３３−４、高度図形処理部３３−５、音響図形処理部３３−６、・・等の個別図形処理部と、受信信号処理部３８の出力（ＧＰＳデータ）から緯度、経度を得て辞書部３４から地名を得る現在位置決定部３９−１と、撮影日時等を得る時間算出部３９−２を有している。
【００３５】
図形処理部３３はスイッチＳＷ１〜ＳＷ６のいずれかがオン（計測を意味する）の場合には、後述するように対応する可変図形情報（可変図形パターン：図４）を図形辞書３４−１から取り出して、デジタル化された対応のセンサー出力値をその可変図形情報の変数値とし、その変数によって与えられる可変図形をＶＲＡＭ５２の所定の位置にイメージ展開し、先にＶＲＡＭ５１の所定の位置にイメージ展開されている対応の固定図形パターン（図４）と合成して環境データ表示図形を生成する。
【００３６】
また、スイッチＳＷ７がオン（受信を意味する）の場合には、後述するように、現在位置決定部３９−１は受信信号処理部３８の出力（ＧＰＳデータ）から緯度、経度を得て辞書部３４の地図３４−２および文字パターン辞書を照合して現在位置の地名を得てＶＲＡＭ５２の所定の位置にイメージ展開し、先にＶＲＡＭ５１の所定の位置にイメージ展開されている地図パターンと合成して撮影場所の表示図形を得る。
また、スイッチＳＷ７がオンの場合に時間算出部３９−２は放送局からの時間データを基に日時および時間を得て、表示図形を生成してＶＲＡＭ５２の所定の位置にイメージ展開し、先にＶＲＡＭ５１の所定の位置にイメージ展開されている時計の固定画像情報と合成して撮影時間の表示図形を生成する。
【００３７】
なお、図形処理部３３、現在位置決定部３９−１および時間算出部３９−２の具体的動作については後述する（図８）。
【００３８】
なお、上記図形処理部３３は、実施例では環境データ表示処理用プログラムを構成するプログラムモジュールとして構成し、ＣＰＵ２１の制御の下で実行制御されるように構成されているが、環境データ入力系３０自体をマイクロプロセッサー（ＭＰＵ）を用いたコンピュータ装置として構成し、図形処理部３３をその下で動作するように構成してもよい。この場合、環境データ入力系３０はバスを介して制御部２０とデータおよび制御信号の授受を行なうように構成される。
【００３９】
［図形辞書］
図４は図３の図形辞書３４−１の一実施例を示す説明図であり、図５は図４の図形辞書のデータに基づいて表示される図形の一実施例である。
【００４０】
図４で、図形辞書３４−１は温度、方位、湿度、風速、高度、音の強度、撮影場所（位置）、撮影時間、・・等の外部環境情報の種類を示す種類欄３４−１−１と、外部環境情報の種類毎に表示される図形の部分のうち固定的な部分の情報を登録した固定図形情報欄３４−１−２と、表示される図形の部分のうち外部環境情報によって変化する部分の情報を登録した可変図形情報欄３４−１−２とを有している。
【００４１】
図４で、温度の固定図形情報は温度計５１１の目盛５１１−１および全体の形状データ（画像データ）であり、可変図形情報は水銀柱５１１−２の形状データである。図５の例では、水銀柱５１１−２の高さｈは測定温度ｔの関数（ｈ＝ｆ（ｔ））として表示される。
【００４２】
また、方位の固定図形情報は方位盤５１２の形状データであり、可変図形情報は撮影方向を表わす矢印およびその傾きであり、図５の例では撮影方向Θは測定方位θと北（Θｎ）方向の差（Θ＝θ−θｎ）として矢印の傾きで表示される。
【００４３】
また、湿度の固定図形情報は湿度計５１３の目盛５１３−１および全体の形状データであり、可変図形情報は湿度指示針５１３−２の形状データおよび傾きである。図５の例では、湿度指示針５１３−２の傾きΘ’は測定湿度ｗ（％）の関数（Θ’＝ｇ（ｗ）＝π／（１００／ｗ）：（πはラジアン角）として表示される。なお、図５に示すように湿度ｗの値および単位（％）を表示してもよい（図５の例では測定値＝４０％が表示されている）。
【００４４】
また、風速の固定図形情報は風速をイメージさせるシンボルパターン５１４であり、可変図形情報は測定値（数字）である。図５の例ではシンボルパターン５１４として矢印で風向きを示す回転板が示されている。また、測定値＝１５Ｍ（メートル）が示されている。
【００４５】
また、高度の固定図形情報は高度をイメージさせるシンボルパターン５１５であり、可変図形情報は測定値（数字）である。図５の例ではシンボルパターン５１４として山並が示されている。また、測定値＝８５０Ｍ（メートル）が示されている。
【００４６】
また、音の強度の固定図形情報は音響強度をイメージさせるシンボルパターン５１６であり、可変図形情報は音の強度をイメージさせるシンボルおよびその大きさである。図５の例ではシンボルパターン５１６としてスピーカーを意味する円形が示されている。また、可変図形情報として同心円状の波紋５１６−２を示し、波紋５１６−２の大きさによって音の強度を表わす。
【００４７】
また、場所の固定図形情報は地図パターン５１７であり、可変図形情報は地名および位置を示す座標値（経度および緯度）である。図５の例では地図パターン５１７として世界地図を簡略化したパターンを用いている。可変図形情報のうち地名は地図の下部に表わされ、現在位置を示すマークが地図上に表示される。
【００４８】
また、時間の固定図形情報は時計盤或いはワールドタイム表示パターン５１８であり、可変図形情報は時計の長針５１８−２、短針５１８−３、秒針５１８−４の形状およびそれらの角度である。図５の例では世界時間を表わすワールドタイム表示パターンが示されている。図５の例では、説明上、ワールドタイム表示パターン５１８と時計の針を別々に図示したが、時計の長針５１８−２、短針５１８−３、秒針５１８−４の角度は、測定された時間データにより決定され、撮影時間はワールドタイム表示パターン５１８上に重畳表示される時計の長針５１８−２、短針５１８−３、秒針５１８−４によって示される（図１３参照）。
【００４９】
＜処理モード＞
図６はデジタルカメラ１００の処理モードの構成例を示す説明図であり、デジタルカメラ１００の処理モードは撮像、再生、記録および外部機器への出力（送信）モードからなる通常処理モードと、日付変更等の特殊機能を実行する特殊処理モードを有する。
また、撮像モードは環境データを入力して画像と共に表示する環境データ表示モードを含んでいる。撮像された画像および入力された環境データは記録モードでフラッシュメモリ６１に記録される。
【００５０】
また、再生モードでこれら記録した画像データおよび環境データを再生／表示でき、更に、出力モードで外部装置に出力（送信）できる。
【００５１】
＜環境データ表示処理＞
（イ）  環境データ表示処理
環境データ表示処理プログラムは、環境データ表示モード下で起動され、スルー画像表示中または撮像時に入力した環境データを図形に変換して画像と共に液晶ディスプレイ５３に表示する。また、撮像した画像データと入力した環境データまたは生成された図形のデータを記録モードでフラッシュメモリ６１に記録する。
【００５２】
図７は、環境データ表示処理プログラムによる環境データ表示処理のプロセスの一実施例を示すプロセスチャートであり、図７の例では環境データ表示処理プロセスは、センサー入力処理、環境データ正規化処理、図形表示処理、環境データ選択処理、合成画像表示処理に大別される。
【００５３】
プロセス１：環境データ入力処理
ユーザによって、処理モードとして環境データ表示モードが選択されると、環境データ表示処理プログラムが起動される。
【００５４】
センサー部３１は外部環境データを測定あるいは受信入力する。環境データ入力信号変換部３２では１つのＡ／Ｄコンバータ３２−１で各入力センサーからの入力データ（環境データ）デジタルデータ変換にするためにスイッチＳＷ１〜ＳＷｎをポーリングしてオン／オフ切換えすることにより時分割処理する。
【００５５】
なお、このプロセス（センサー入力切替え処理）は環境データ入力信号変換部３２のＡ／Ｄコンバータが図３に示したように１つのＡ／Ｄコンバータ３２−１で構成されている場合に各センサー入力を時分割処理するために行なうものであり、環境データ入力信号変換部３２のＡ／Ｄコンバータが各センサーに対応して１つづつ割当てられている場合には不要となる。
【００５６】
プロセス２：環境データ正規化処理
環境データが量または長さで表される場合には、図形化表示に先立って正規化処理を行なう。
例えば、温度ｔを水銀柱ｈの高さで表わす場合には、ｈ＝ｆ（ｔ）として温度ｔと水銀柱の高さｈを関係付けることができるが、これを実際に表示する場合には画面サイズの制限や図形の形状による制限があるので、温度幅を１として測定値との比率を求め、水銀柱の高さとの対応付けを可能にする。すなわち、表示する温度をマイナス４０℃〜プラス６０℃とすると、温度幅は１００となる。一方、水銀柱５１１−２の高さ画面上で高さ方向に５０ピクセル分あるとすると、１ピクセルで２℃を表示することになる。
【００５７】
ここで、測定温度を２０℃とすると（２０℃−（−４０℃））／１００℃＝６０／１００＝０．６として測定値を正規化することにより水銀柱５１１−２の高さｈとの関係はｈ＝５０×０．６＝３０となり、後述の図形表示処理（プロセス５）で水銀柱５１１−２の底部から高さ方向に３０ピクセル分を温度表示（例えば、黒色表示）すればよいこととなる。
【００５８】
なお、温度の正規化方法は上記例に限定されない。例えば、０℃を境に表示色を色分け（０℃以上は赤、０℃以下は青といったように色分け）し、表示方向を０℃以上は水銀柱５１１−２の底部から上方に、０℃未満は水銀柱５１１−２の頂部から下方に向けて温度に比例して水銀柱の長さを表示する場合には、正規化は０℃を境に行なうこととなる。
すなわち、表示する温度をマイナス５０℃〜プラス５０℃とすると温度幅はそれぞれ５０であり、測定温度を２０℃とすると、（２０℃）／５０℃＝０．４として正規化することにより水銀柱５１１−２の高さｈとの関係はｈ＝５０×０．４＝２０ピクセルとなる。測定温度をマイナス１０℃とすると、（−１０℃）／５０℃＝−０．２として正規化することにより水銀柱５１１−２の高さｈとの関係はｈ＝５０×（−０．２）＝−１０ピクセルとなる。
【００５９】
図５に例示した図形のうち、測定値を量または長さで表す環境データは上述した温度の他、湿度、音の強度がある。
【００６０】
このうち、湿度データは率（％）であるため正規化する必要はない。これに対して、音の強度は音響図形５１６の波形５１６−２のうちの最も外側に表示する波形の大きさを１として、これに正規化した音の強度を対応させることができる。
【００６１】
また、風速、高度は図５の表示例では測定値を数字表示しているので、測定値の正規化を要しないが、風速または高度の測定値を図形表示する場合には測定値を正規化することが望ましい。
【００６２】
なお、撮影方向（方位）、時間は図形の角度で表し、場所は地名および座標で表わすので正規化することなく、図形表示処理を行なう。
【００６３】
従って、環境データの種類に応じて正規化を行なう場合と行なわない場合があり、正規化の方法もデータの種類或いは図形表示の方法によって異なるので、環境データ正規化処理は正規化を要する環境データの種類毎に対応して行なう。このために環境データ表示処理プログラムには正規化する環境データの種類に応じたサブプログラムが組込まれている。
なお、環境データ正規化処理を次のプロセス５において環境データ毎に必要に応じておこなうようにしてもよい。
【００６４】
プロセス３：表示図形加工処理
次に、図形処理部３３で辞書部３４の図形情報のうち選択された各環境データに対応する図形情報を取り出して、入力した環境データに応じた図形とするための加工処理を行ない液晶ディスプレイ５３に表示する。
【００６５】
図形処理部３３では、前述したように、図３のスイッチＳＷ１〜ＳＷ６のいずれかがオンの場合には、入力する環境データに対応する固定図形情報３４−１−２を図形辞書３４−１から取り出して、ＶＲＡＭ１にイメージ展開し、次に、固定図形情報３４−１−２を図形辞書３４−１から取り出して、デジタル化された対応のセンサー出力値をその可変図形情報の変数値とし、その変数によって与えられる可変図形と固定図形パターンとを合成して表示図形を生成する。
【００６６】
また、スイッチＳＷ７がオンの場合には、現在位置決定部９２−１は受信信号処理部３８の出力（ＧＰＳデータ）から緯度、経度を得て辞書部３４の地図３４−２および文字パターン辞書を照合して現在位置の地名を得てＶＲＡＭ５２の所定の位置にイメージ展開し、先にＶＲＡＭ５１の所定の位置にイメージ展開されている地図パターンと合成して撮影場所の表示図形を得る。
また、スイッチＳＷ７がオンの場合に、時間算出部９２−２は放送局からの時間データを基に日時および時間を得て、表示図形を生成してＶＲＡＭ５２の所定の位置にイメージ展開し、先にＶＲＡＭ５１の所定の位置にイメージ展開されている時計の固定画像情報と合成して撮影時間の表示図形を生成する。
【００６７】
プロセス４：表示図形選択処理
次に、ユーザが所望する環境データを図形化して撮影時に記録できるように、ユーザに対し環境データの選択を促す。このために、液晶ディスプレイ５３に上記プロセス３で加工された環境データ表示図形（複数）を表示すると共に環境データ選択メッセージを表示して、ユーザが所望の環境データ（１個または複数個）を選択できるようにする。
ユーザーはカーソル移動ボタン４９を用いて所望の図形を指定し、確認ボタン（実施例では機能選択ボタン４２を確認ボタンとして用いている）を押して表示された環境データ表示図形を選択することができる。
【００６８】
なお、表示される環境データ表示図形の数は画像のサイズによって制限される（例えば、５個以内）ので、登録された全ての図形のうちからユーザの所望するものを選択可能にするために、画面を前後にスクロール可能とすることが望ましい。また、指定なしで常に表示される必須の表示図形を設け強調等の特殊表示をするようにしてもよい。
【００６９】
また、上記実施例では複数の図形を同時に液晶ディスプレイ５３に表示したが１個ずつ表示し、ユーザに選択させるようにしてもよい。
【００７０】
また、図形の表示に代えて、機能選択ボタン４２〜４７と環境データを対応させるようにして、ユーザが機能選択ボタン４２〜４７のいずれかを操作すると対応する環境データが選択されるようにしてもよい。
【００７１】
プロセス５：合成画像表示処理
ユーザーによる図形の選択が終わると、選択されなかった図形に対応するスイッチ（図３のＳＷ１〜ＳＷ７のいずれか）をオフとし、ＲＡＭ２２上に各入力センサーのオン／オフの状態を記憶する（例えば、フラグエリアを設けて各センサー毎のオン／オフを’１’／’０’で表現する）。
【００７２】
次に、選択されなかった環境データ表示図形を消去し、選択された環境データ表示図形を画面上の一定の領域（例えば、画面の左側に一列に、或いは下側に一列に）整列させるように配置して、画像データ入力系１０で得た画像データと合成し、液晶ディスプレイ５３に表示する（図１３（ｃ））。この場合、ユーザがボタン操作により図形の整列位置を変更できるようにしてもよい。
【００７３】
（ロ）  図形表示処理動作
図８は、図形処理部３３による図形表示処理動作の一実施例を示すフローチャートであり、（ａ）は温度図形処理部３３−１の動作例、（ｂ）は方位図形処理部３３−２の動作例、（ｃ）は湿度図形処理部３３−３の動作例、（ｄ）は風速図形処理部３３−４の動作例、（ｅ）は高度図形処理部３３−５の動作例、（ｆ）は音響図形処理部３３−６の動作例、（ｇ）は現在位置決定部３９−１の動作例、（ｈ）は時間算出部３９−２の動作例を示す。
【００７４】
以下、図形処理部３３の図形表示処理動作の例について説明する。
【００７５】
図８（ａ）：
スイッチＳＷ１がオンの場合には、温度センサー３１−１によって計測された周辺温測定値が正規化処理されて温度図形処理部３３−１に入力される（Ｔ１−１）。
次に、図形辞書３４−１の固定図形情報欄３１−４−１から温度計５１１を表わす固定図形情報を取り出してＶＲＡＭ５１にイメージ展開（ビットマップイメージによる展開：以下同様）する（Ｔ１−２）。
次に、温度測定値の正規化値を基に水銀柱５１１−２の高さを計算する。例えば、測定値を２０℃、温度幅を０℃を境に±５０ピクセルとし、温度がプラスの場合には水銀柱５１１−２を赤く上方表示し、マイナスの場合には下方表示すると、正規化値＝０．４であるから水銀柱の高さは上方に２０ピクセルとなる（Ｔ１−３）。
【００７６】
図形辞書３４−１の可変図形情報欄３１−４−２から水銀柱５１１−２の可変データを取り出して変数として高さ＋２０を与えると、高さ２０ピクセルの赤色の水銀柱形状がＶＲＡＭ５２にイメージ展開される（Ｔ１−４）。
【００７７】
次に、ＶＲＡＭ５１の温度計イメージにＶＲＡＭ５２の水銀柱イメージを重畳して合成し、計測された温度を表わす温度図形を生成する（Ｔ１−５）。
【００７８】
図８（ｂ）：
スイッチＳＷ２がオンの場合には、方位センサー３１−２によって計測された撮影方向の方位が方位図形処理部３３−２に入力される（Ｔ２−１）。
次に、図形辞書３４−１の固定図形情報欄３１−４−１から方位盤５１２を表わす固定図形情報を取り出してＶＲＡＭ５１にイメージ展開する（Ｔ２−２）。
次に、測定された方位θから撮影方向を表わす矢印の傾きΘを算出する。撮影方向Θは、例えば、測定方位θと北（Θｎ）方向の差（Θ＝θーθｎ）として得ることができる（Ｔ２−３）。
【００７９】
また、図形辞書３４−１から撮影方向の方位（＝撮影方向のカメラの角度θ）を表す矢印が取り出され、上記ステップＴ２−３で得た撮影方向Θ分だけ傾いた矢印の形状がＶＲＡＭ５２にイメージ展開される（Ｔ２−４）。
次に、ＶＲＡＭ５１の方位盤イメージにＶＲＡＭ５２の矢印イメージを重畳して合成し、撮影方向を表わす方位図形を生成する（Ｔ２−５）。
【００８０】
図８（ｃ）：
スイッチＳＷ３がオンの場合には、湿度センサー３１−３によって計測された湿度測定値が湿度図形処理部３３−３に入力される（Ｔ３−１）。
次に、図形辞書３４−１の固定図形情報欄３１−４−１から湿度計５１３を表わす固定図形情報を取り出してＶＲＡＭ５１にイメージ展開する（Ｔ３−２）。
次に、入力した湿度測定値から湿度指示針５１３−２の傾きΘ’＝π／（１００／ｗ）：（πはラジアン角）として算出できる。例えば、湿度測定値＝８０％とすると、Θ’＝π／（１００／６０）＝０．６π≒１０８度となる。
【００８１】
図形辞書３４−１の可変図形情報欄３１−４−２から湿度指示針５１３−２の可変図形データを取り出して変数として傾きΘ’を与えると、湿度＝６０％の例では１０８度傾いた湿度指示針形状がＶＲＡＭ５２にイメージ展開される。なお、湿度の値を表示する場合には文字パターン辞書３４−３から数値に対応する数字データ（数字イメージパターン）を取り出して湿度指示針形状と共にＶＲＡＭ５２にイメージ展開する（Ｔ３−４）。
次に、ＶＲＡＭ５１の湿度計イメージにＶＲＡＭ５２の指示針イメージ（および数字イメージ）を重畳して合成し、計測された湿度を表わす湿度図形を生成する（Ｔ３−５）。
【００８２】
図８（ｄ）：
スイッチＳＷ４がオンの場合には、風速センサー３１−４によって計測された風速測定値が風速図形処理部３３−４に入力される（Ｔ４−１）。
次に、図形辞書３４−１の固定図形情報欄３１−４−１から風速計をイメージする矢羽根状の回転板５１４の固定図形情報を取り出してＶＲＡＭ５１にイメージ展開する（Ｔ４−２）。
次に、風速センサーによる計測値に対応する数字データ（数字イメージパターン）を取り出してＶＲＡＭ５２にイメージ展開する（Ｔ４−３）。
次に、ＶＲＡＭ５１の風速計イメージにＶＲＡＭ５２の数字イメージを重畳して合成し、計測された風速を表わす風速図形を生成する（Ｔ４−４）。
【００８３】
図８（ｅ）：
スイッチＳＷ５がオンの場合には、高度センサー３１−５によって計測された高度測定値が高度図形処理部３３−５に入力される（Ｔ５−１）。
次に、図形辞書３４−１の固定図形情報欄３１−４−１から高度を象徴する山並５１４の固定図形情報を取り出してＶＲＡＭ５１にイメージ展開する（Ｔ５−２）。
次に、高度センサーによる計測値に対応する数字データ（数字イメージパターン）を取り出してＶＲＡＭ５２にイメージ展開する（Ｔ５−３）。
次に、ＶＲＡＭ５１の高度イメージにＶＲＡＭ５２の数字イメージを重畳して合成し、計測された高度を表わす高度図形を生成する（Ｔ５−４）。
【００８４】
図８（ｆ）：
スイッチＳＷ６がオンの場合には、音響センサー３１−６によって計測された音の強度測定値が正規化処理されて音響図形処理部３３−６に入力される（Ｔ６−１）。
次に、図形辞書３４−１の固定図形情報欄３１−４−１からスピーカーを象徴する円形５１６の固定図形情報を取り出してＶＲＡＭ５１にイメージ展開する（Ｔ６−２）。
次に、音響強度測定値の正規化値と円形の半径を基に、波紋５１６−２の孤長Ｌを計算する（Ｔ６−３）。
図形辞書３４−１の可変図形情報欄３１−４−２から波紋５１６−２の可変データを取り出して変数として孤長Ｌを与えると、音響の強度に比例した同心円状の波紋形状がＶＲＡＭ５２にイメージ展開される（Ｔ６−４）。
次に、ＶＲＡＭ５１の音響イメージにＶＲＡＭ５２の波紋イメージを重畳して合成し、計測された音響の強度を表わす音響図形を生成する（Ｔ６−５）。
【００８５】
図８（ｇ）：
スイッチＳＷ３７がオンの場合には、受信信号処理部３８からの緯度データおよび経度データが現在位置決定部３９−１に入力される（Ｔ７−１）。
図形辞書３４−１の固定図形情報欄３１−４−１から世界地図のパターンを取り出してＶＲＡＭ５１にイメージ展開する（Ｔ７−２）。
図形辞書３４−１の可変図形情報欄３１−４−２から場所マーク（例えば、場所を差し示す矢印）を取り出して、ＶＲＡＭ５１にイメージ展開された地図上の対応する位置に場所マークを合成する（場所マークが矢印の場合にはその先端を対応位置に位置させるようにして合成する）（Ｔ７−３）。
次に、入力した緯度データと座標データを基に、地図辞書３４−２から地名を示す文字コード列を取り出し、それを基に文字パターン辞書３４−３から文字パターンを取り出してＶＲＡＭ５２の所定位置にイメージ展開する（Ｔ７−４）。
次に、ＶＲＡＭ５１の地図イメージにＶＲＡＭ５２の文字イメージを重畳して合成し、撮影場所を示す場所図形を生成する（Ｔ７−５）。
【００８６】
図８（ｈ）：
また、スイッチＳＷ３７がオンの場合には、受信信号処理部３８から受け取った時間データが時間算出部３９−２に入力される（Ｔ８−１）。
図形辞書３４−１の固定図形情報欄３１−４−１からワールドタイム表示パターンを取り出してＶＲＡＭ５１にイメージ展開する（Ｔ８−２）。
次に、時計の長針５１８−２，短針５１８−３，秒針５１８−４の位置を決定するため、それらの傾きを入力した時間データからそれぞれ計算する（Ｔ８−３）。
【００８７】
次に、図形辞書３４−１の可変図形情報欄３１−４−２から時計の長針５１８−２，短針５１８−３，秒針５１８−４の可変データを取り出して、変数としてそれぞれの角度θ２，θ３，θ４を与えると、時計の長針５１８−２，短針５１８−３，秒針５１８−３が位置付けられ時刻が表現されるので、それらをＶＲＡＭ５２の所定の位置にイメージ展開する（Ｔ８−４）。
【００８８】
次に、ＶＲＡＭ５１のワールドタイム表示イメージにＶＲＡＭ５２の時計イメージを重畳して合成し、撮像時の時刻を表わすワールドタイム図形を生成する（Ｔ８−５）。
【００８９】
なお、制御部２０側で内部タイマーとカレンダーにより日時および環境時間（ワールドタイム）を得るように構成した場合には上記ステップＴ８−１でそれらを入力ようにすればよい。
【００９０】
（ロ）  記録媒体内での関係付け
図９は記録部６０によりフラッシュメモリ６１に記録される環境データ（或いは図形データ）と画像データの関係を示す説明図である。
【００９１】
（ａ）は記録媒体（フラッシュメモリ）６１に撮像時に測定した環境データを変換した図形と撮像画像を合成した合成画像データ６１２−１〜６１２−ｎを記録した例であり、撮像後、記録モード下でユーザーのボタン操作により合成画像データが記録されると共に参照リスト６１１に合成画像データの記録位置および測定値が登録される（図１０（ａ））。
【００９２】
（ｂ）はフラッシュメモリ６１に撮像画像データ６１２−１〜６１２−ｎおよび撮像時に測定した環境データを変換した図形データ６１３−１〜６１３−ｎを記録した例であり、撮像後、記録モード下でユーザーのボタン操作により画像データおよび図形データが記録されると共に参照リスト６１１’に画像データおよび図形データの記録位置および測定値が登録される。
なお、（ｂ）で画像データおよび図形データの記録位置は登録するが測定値を登録しない参照リスト６１１”を用いるようにしてもよい。
また、（ｂ）に示す構成のフラッシュメモリ６１では再生モードで画像と図形データを合成して表示したり、画像データだけを表示するよう構成でき、また、出力モード時に画像データだけ、画像データと測定値、合成画像だけ、合成画像と測定値、或いは測定値だけを外部装置に出力（送信）するように構成できる。
【００９３】
図１０は参照リストの構成例を示す説明図である。
（ａ）は図７（ａ）に対応する参照リストの例であり、参照リスト６１１にはフラッシュメモ６１に記録される画像データの物理的順序を示す画像番号６１１−１、記録された画像データの記録位置を示す画像記録位置６１１−２、および各測定値（環境データ）を格納したデータ１〜データｎが登録される。なお、データ１〜データｎのうち、ユーザーにより対応の図形選択されなかった測定値は０として登録される。また、各データ欄に登録されるデータは１つとは限られず、緯度および経度のように２つ以上のデータの組が登録される場合もある（図９（ａ）のデータ４参照）。
【００９４】
（ｂ）は図７（ｂ）に対応する参照リストの例であり、参照リスト６１１’にはフラッシュメモリ６１に記録される画像データの物理的順序を示す画像番号６１１−１、記録された画像データの記録位置を示す画像記録位置６１１−２、記録された図形データの記録位置を示す画像記録位置６１１−２、および各測定値（環境データ）を格納したデータ１〜データｎが登録される。なお、データ１〜データｎのうち、ユーザーにより対応の図形選択されなかった測定値は０として登録される。また、各データ欄に登録されるデータは１つとは限られず、緯度および経度のように２つ以上のデータの組が登録される場合もある。
【００９５】
（ｃ）は図７（ｂ）で測定値を参照リストに登録しない場合に対応する例であり、参照リスト６１１’にはフラッシュメモリ６１に記録される画像データの物理的順序を示す画像番号６１１−１、記録された画像データの記録位置を示す画像記録位置６１１−２、記録された図形データの記録位置を示す画像記録位置６１が登録される。
【００９６】
上記説明では説明上、画像のサイズを一定としているので参照リスト６１１，６１１’，６１１”に画像のサイズを登録していないが、記録する画像のサイズをユーザが選択できる場合には参照リスト６１１，６１１’，６１１”に画像のサイズを示す情報を登録するように構成する。
【００９７】
＜実施例＞
（イ）  モードの切換え
図１で、処理モード切換えスイッチ３１は、「ＮＯＰ」、「通常処理モード」、「特殊処理モード」の３位置にスライド可能に構成されている。スイッチ４１が「ＮＯＰ」に位置する場合はメインスイッチ１０１がオンであってもモード処理動作に移行しない（すなわち、ノーオペレーション状態である）。また、スイッチ４１はメインスイッチ１０１をオフにすると自動的に「ＮＯＰ」位置に戻る。
【００９８】
メインスイッチ１０１をオン（ＯＮ）にした後、スイッチ４１を「通常処理」側にスライドさせるとデジタルカメラ１００は通常処理モード（図５）となり、被写体の撮像、再生表示、記録等、一連の動作を行なうことができる。
記録／再生スイッチ１０３は、「ＮＯＰ」、「記録」、「再生」の３位置にスライド可能に構成されている。スイッチ１０４が「ＮＯＰ」に位置する場合はメインスイッチ１０１およびスイッチ４１がオンであっても環境データ表示モードに移行しない。また、スイッチ１０３はメインスイッチ１０１をオフにするかスイッチ３１を「ＮＯＰ」にすると自動的に「ＮＯＰ」位置に戻る。
【００９９】
スイッチ４１を「通常処理」側にスライドさせ、記録／再生スイッチ１０３を記録側にスライドさせると、撮像モードとなる。撮像モードで機能選択ボタン（環境表示モード選択ボタン）４２を押すと、環境表示モードに切換えられ図形データが液晶ディスプレイ５３に表示される。また、環境表示モードで撮像シャッター１０２が押されると図形と画像の合成画像（静止画像）が液晶ディスプレイ５３に表示されると共に記録モードに移行して合成画像データ或いは画像データおよび図形データがセンサー部３０で測定した環境データと共にフラッシュメモリ６１に記録される。
【０１００】
スイッチ４１を「通常処理」側にスライドさせ、記録／再生スイッチ１０３を再生側にスライドさせると再生モードとなり、フラッシュメモリ６１から読み出された合成画像データ或いは画像データおよび画像データが液晶ディスプレイ５３に再生／表示される。なお、１つの画像に複数の環境表示図形を記録した場合には、再生時にユーザが所望する環境表示図形を選択するとその図形を画像と合成して表示できる。
【０１０１】
また、出力ボタン４８が押し下げられると出力モードに移行し、合成画像データ或いは画像データおよび図形データがセンサー部３０で測定した環境データが外部装置に出力（送信）される。
【０１０２】
（ロ）  撮像モード下の動作
図１１は撮像モード下のデジタルカメラ１００の動作例を示すフローチャートである。
【０１０３】
先ず、処理モードを調べ撮像モードの場合にはＳ３に移行し、撮像モードでない場合にはＳ２に移行してその処理モードの処理の実行手段に制御を移す（Ｓ１）。
【０１０４】
さらにモードを調べ、モードが環境データ表示モードの場合にはＳ５に移行し、環境データ表示モード以外の場合にはＳ４に移行してその処理の実行手段に制御を移す（Ｓ３）。
センサー部３１から環境データ（センサー３１−１〜３１−６からの測定データおよびアンテナ３７での受信信号）を入力する。各環境データは前述したような環境データ入力系３０の処理を経て、辞書部３４から取り出した対応の図形情報を環境データ表示図形に加工してＶＲＡＭ５２に展開する（Ｓ５）。
センサー部３１の各スイッチをオンにし、加工後の環境データ表示図形を液晶ディスプレイ５３に表示すると共に表示する図形の選択を促すメッセージを表示する（Ｓ６）。
【０１０５】
次に、表示図形が選択されたか否かを調べ（Ｓ７）、表示図形の選択が終った場合には選択されなかった図形をクリアすると共に選択されなかった図形に対応する環境データのセンサー等（測定器または受信機）のスイッチをオフにする。また、選択された表示図形を画面上で整列表示させるように加工後の表示図形データをＲＡＭ２２（または、ＤＲＡＭ１４）に記憶してＳ１０に遷移する（Ｓ８）。
【０１０６】
センサー部３１から環境データを入力する。各環境データは前述したような環境データ入力系３０の処理を経て、辞書部３４から取り出した対応の図形情報を環境データ表示図形に加工してＶＲＡＭ５２に展開する（Ｓ９）。
次に、被写体画像を取込む。取込まれた画像データは画像データ入力系１０による処理を経てＶＲＡＭ５１に画像イメージで展開され、上記ステップＳ５またはＳ１０でＶＲＡＭ５２上の加工後の表示図形と合成され（Ｓ１０）、液晶ディスプレイ５３にスルー（動画）表示される（Ｓ１１）。
【０１０７】
上記Ｓ９からＳ１１の動作はユーザーがシャッターボタン１０２を押すまで繰り返され（Ｓ１２）、ユーザーがシャッターボタン１０２を押すとその時点でスルー画像表示されていた合成画像が静止画として液晶ディスプレイ５３に表示されると共に記録モードに移行して、その画像データ、図形およびその時点での測定データ（環境データ）がフラッシュメモリ６１に記録される（Ｓ１３）。
【０１０８】
（ハ）  再生モード下の動作
図１２は再生モード下のデジタルカメラ１００の動作例を示すフローチャートである。
【０１０９】
先ず、処理モードを調べ再生モードの場合にはＵ３に移行し、撮像モードでない場合にはＵ２に移行してその処理モードの処理の実行手段に制御を移す（Ｕ１）。
さらにモードを調べ、モードが環境データ表示モードの場合にはＵ５に移行し、環境データ表示モード以外の場合にはＵ４に移行してその処理の実行手段に制御を移す（Ｕ３）。
フラッシュメモリ６１の参照リスト６１１（図９）を参照して記録画像を再生してＶＲＡＭ５１にイメージ展開する。また、当該画像に係わる環境データのうち最初の環境データ図形を再生してＶＲＡＭ５２にイメージ展開する（Ｕ５）。
【０１１０】
次に、ＶＲＡＭ５１の画像イメージにＶＲＡＭ５２の図形イメージを重畳させて合成し、液晶ディスプレイ５３に表示する。この場合、最初の図形は画面上の所定の位置（例えば、左上隅）に表示される（図１３〜図１５参照）（Ｕ６）。
【０１１１】
ここで、使用者がキャンセルボタン（機能ボタン４３）を押すとその図形は消去され、次の環境データ図形を再生してＶＲＡＭ５２にイメージ展開してＵ６に戻る。これにより、次の図形が現在の画像と合成されてキャンセルされた図形の位置に表示される（Ｕ７）。
【０１１２】
また、使用者が追加図形表示ボタン（機能ボタン４４）を押すと次の環境データ図形を再生してＶＲＡＭ５２にイメージ展開され、現在の合成画像の上にさらに図形が合成され、現在表示されている図形の隣にその図形が表示される（Ｕ８）。
【０１１３】
ここで、使用者が次の画像表示ボタン（実施例では、シャッターボタン１０２）を押すとＵ５に戻って次の画像および環境データ表示図形の合成表示動作を記録画像が無くなるまで繰り返す（Ｕ９）。
【０１１４】
（ニ）  撮像時の図形合成画像の例
図１３，図１４はデジタルカメラで得た環境データから生成された表示図形と撮像画像の重畳表示例を示す説明図である。
【０１１５】
図１３はテニスの国際試合での有名選手をスナップ撮影して記録した例であり、（ａ）は環境データ表示モード下で、取込まれた環境データによって加工された５個の表示図形５１１〜５１５が表示されている例であり、（温度計５１１、方位計５１２、音響シンボル５１６、撮影位置（地図）５１７、および環境時間（ワールドタイム５１８の表示パターン）の環境データが示された５つの図形が表示されている。
【０１１６】
また、（ｂ）はユーザが撮影しようとしたテニスの選手（被写体）１３０を示し、（ｃ）は上記（ｂ）に示したアングルで撮影した後、液晶ディスプレイ５３に表示された静止画像（環境データ表示図形との合成画像）を示す。
合成画像には（ａ）で示された表示図形のうちユーザによって選択された温度計５１１、方位計５１２、地図５１７、ワールドタイム５１８の４個と、（ｂ）の選手像１３１の合成画像が表示されている。
選択された４個の図形は画面の左側に整列して表示されている。また、測定値は温度計５１１では水銀柱５１１−２の高さで示され、方位計では撮影方向が矢印５１１−２の傾きで示され、地図５１７では現在位置１３２が地図上にマーク表示され、また、地名１３３（「東京」）が表示されている。また、ワールドタイム５１８には撮像時間が時計の長針５１８−２と短針５１８の位置で示されている。
【０１１７】
図１４で、夏休みに浜辺で遊ぶ人物画像と共に、温度と場所を記録した例であり、画像に応じて登録されている環境データ表示画像から所望のものを選んで合成した例である（この例では最初に表示可能な図形パターンを選ぶのではなく、スルー画像表示時に適宜図形パターンを選択した例である）。
【０１１８】
図１４で、（ａ）は環境データ表示モード下で、取込まれた環境データによって加工された表示図形５１１〜５１５が表示されている例である。図１３（ａ）の場合と同じ５つの環境データが示された５つの図形が表示されている。
の５個の表示図形パターンが合成表示可能となっている。
（ｂ）は、ユーザが、浜辺にいる２人の女性１４１をスルー画像表示しながら、図形選択キー（機能ボタン４５）を押して表示可能な図形パターンを順次合成表示して選択している例であり、上記（ａ）に示した図形のうちユーザによって温度計５１１がキャンセルされたので次に方位計５１２の図形が合成表示されているところである。
【０１１９】
（ｃ）は撮像後、液晶ディスプレイ５３に表示された合成画像を示す。この例では、ユーザが温度計５１１と地図５１７を選択してから上記（ｂ）に示したアングルで撮影した女性像１４１と温度計５１１と地図５１７の合成画像が表示されている。なお、測定値は温度計５１１では水銀柱の高さで示され、地図５１７では現在位置１４２が地図上にマーク表示され、また、地名１４３（「小笠原」）が表示されている。
（ホ）  再生時の図形合成画像の例
図１５は、デジタルカメラで記録された環境データから生成された表示図形と撮像画像を再生し重畳表示した例を示す説明図であり、図１４（ａ）で示した図形パターンで表わされる５つの環境データ（温度計、方位、音響の強度、撮影場所、および環境時間）を対応する画像データと共にフラッシュメモリ６１に記録している場合に、所望の画像を再生し、当該画像と共に記録された環境データのうちから所望の環境データ表示図形を選択して合成表示した例である（図１２参照）。
【０１２０】
図１５で、（ａ）は、ユーザが、広場を歩いている３人の女性を撮影した画像を再生した例であり、その画像上に撮影方向を示す方位表示図形を選択して合成表示した例である。
また、（ｂ）は（ａ）の合成画像上に、さらに、撮影場所を示す表示図形を選択して合成表示した例である。各図形は画面の左側に整列して表示されている。また、測定値は方位計５１２では矢印の方向（傾き）で撮影方向が表わされ、地図５１７では撮影場所１５２が地図上にマーク表示され、また、地名１５３（「東京」）が表示されている。
【０１２１】
なお、上記フラッシュメモリ６１には表示用図形データが画像データと対応付けられて記録されているものとしたが、表示用図形データの代りに測定値を画像データと対応付けて記録し、画像再生時に表示用図形データを生成して対応する画像データと合成して表示するようにしてもよい。
【０１２２】
以上本発明の一実施例について説明したが、本発明は上記実施例に限定されるものではなく、種々の変形実施が可能であることはいうまでもない。
【０１２３】
【発明の効果】
以上説明したように本発明によれば、デジタルカメラの撮像時にその時点での状況、すなわち、環境撮影時の温度や方位、位置、時間等の環境データを測定して図形化して画像と共に表示し、または合成記録し、または対応付けて記憶できるので、撮影時の状況を視覚的に表現することができる。
【図面の簡単な説明】
【図１】本発明を適用したデジタルカメラの一実施例の斜視図である。
【図２】図１のデジタルカメラの回路構成例を示すブロック図である。
【図３】環境データ入力系の一実施例の構成を示すブロック図である。
【図４】図形辞書の構成例を示す説明図である。
【図５】図４の図形辞書のデータに基づいて表示される図形の一実施例である。
【図６】デジタルカメラの処理モードの構成例を示す説明図である。
【図７】環境データ表示処理のプロセスの一実施例を示すプロセスチャートである。
【図８】図形処理部による図形表示処理動作の一実施例を示すフローチャートである。
【図９】フラッシュメモリに記録される環境データ（或いは図形データ）と画像データの関係を示す説明図である。
【図１０】参照リストの構成例を示す説明図である。
【図１１】撮像モード下のデジタルカメラの動作例を示すフローチャートである。
【図１２】再生モード下のデジタルカメラの動作例を示すフローチャートである。
【図１３】デジタルカメラで得た環境データから生成された表示図形と撮像画像の重畳表示例を示す説明図である。
【図１４】デジタルカメラで得た環境データから生成された表示図形と撮像画像の重畳表示例を示す説明図である。
【図１５】デジタルカメラで記録された環境データの表示図形と撮像画像を再生して重畳表示した例を示す説明図である。
【符号の説明】
１０  画像データ入力系
３０  環境データ入力系
３１  センサー部
３２  信号変換部
３２−１  Ａ／Ｄコンバータ（Ａ／Ｄ変換部）
３８  受信信号処理部
３３  図形処理部
３４  辞書部
５１，５２  ＶＲＡＭ（画像表示手段）
５３  液晶ディスプレイ（画像表示手段）
６０  記録部（記録手段）
６１  フラッシュメモリ（記録媒体）
１００  デジタルカメラ（カメラ）
【図１】
0003738310.tif 000002
【図２】
0003738310.tif 000003
【図３】
0003738310.tif 000004
【図４】
0003738310.tif 000005
【図５】
0003738310.tif 000006
【図６】
0003738310.tif 000007
【図７】
0003738310.tif 000008
【図８】
0003738310.tif 000009
【図９】
0003738310.tif 000010
【図１０】
0003738310.tif 000011
【図１１】
0003738310.tif 000012
【図１２】
0003738310.tif 000013
【図１３】
0003738310.tif 000014
【図１４】
0003738310.tif 000015
【図１５】
0003738310.tif 000016